(57)【要約】【課題】ディスプレイを動作させる方法およびシステムを提供する。【解決手段】一部の実施形態で、前記方法は、ディスプレイのスライスに対するストレスプロファイルの要素を第１順列（ｐｅｒｍｕｔａｔｉｏｎ）に置き換えて順列ストレスプロファイル（ｐｅｒｍｕｔｅｄ  ｓｔｒｅｓｓ  ｐｒｏｆｉｌｅ）を形成し、前記順列ストレスプロファイルを圧縮して圧縮された順列ストレスプロファイルを形成し、前記圧縮された順列ストレスプロファイルを圧縮解除して圧縮解除された順列ストレスプロファイルを形成し、前記圧縮解除された順列ストレスプロファイルの要素を前記第１順列の逆である第２順列に置き換えて圧縮解除されたストレスプロファイルを形成することを含む。【選択図】図３
2019159329.tif 000002
【特許請求の範囲】
【請求項１】
ディスプレイのスライスに対するストレスプロファイルの要素を第１順列（ｐｅｒｍｕｔａｔｉｏｎ）に置き換えて順列ストレスプロファイル（ｐｅｒｍｕｔｅｄ   ｓｔｒｅｓｓ  ｐｒｏｆｉｌｅ）を形成し、
前記順列ストレスプロファイルを圧縮して圧縮された順列ストレスプロファイルを形成し、
前記圧縮された順列ストレスプロファイルを圧縮解除して圧縮解除された順列ストレスプロファイルを形成し、
前記圧縮解除された順列ストレスプロファイルの要素を前記第１順列の逆である第２順列に置き換えて圧縮解除されたストレスプロファイルを形成することを含む、ディスプレイを動作させる方法。
【請求項２】
前記第１順列は循環シフト（ｃｉｒｃｕｌａｒ  ｓｈｉｆｔ）である、請求項１に記載のディスプレイを動作させる方法。
【請求項３】
前記第１順列は一定量ほどの循環シフトである、請求項２に記載のディスプレイを動作させる方法。
【請求項４】
前記第１順列は疑似乱数量（ｐｓｅｕｄｏｒａｎｄｏｍ  ａｍｏｕｎｔ）ほどの循環シフトである、請求項２に記載のディスプレイを動作させる方法。
【請求項５】
メモリに前記圧縮された順列ストレスプロファイルを格納し、
前記メモリに前記疑似乱数量を格納することをさらに含む、請求項４に記載のディスプレイを動作させる方法。
【請求項６】
第１疑似乱数生成器によって前記疑似乱数量を生成し、
前記第１疑似乱数生成器によって生成された前記疑似乱数量に基づいて、前記ストレスプロファイルの要素を前記第１順列に置き換え、
第２疑似乱数生成器によって前記疑似乱数量を生成し、
前記第２疑似乱数生成器によって生成された前記疑似乱数量に基づいて、前記圧縮解除された順列ストレスプロファイルの要素を前記第２順列に置き換えることをさらに含む、請求項４に記載のディスプレイを動作させる方法。
【請求項７】
前記ストレスプロファイルは前記ディスプレイの第１スライスに対する第１ストレスプロファイルであり、
前記順列ストレスプロファイルは第１順列ストレスプロファイルであり、
前記圧縮された順列ストレスプロファイルは第１圧縮された順列ストレスプロファイルであり、
前記圧縮解除された順列ストレスプロファイルは第１圧縮解除された順列ストレスプロファイルであり、
前記圧縮解除されたストレスプロファイルは第１圧縮解除されたストレスプロファイルであり、
前記ディスプレイの第２スライスに対する第２ストレスプロファイルの要素を第３順列に置き換えて第２順列ストレスプロファイルを形成し、
前記第２順列ストレスプロファイルを圧縮して第２圧縮された順列ストレスプロファイルを形成し、
前記第２圧縮された順列ストレスプロファイルを圧縮解除して第２圧縮解除された順列ストレスプロファイルを形成し、
前記第２圧縮解除された順列ストレスプロファイルの要素を前記第３順列の逆である第４順列に置き換えて第２圧縮解除されたストレスプロファイルを形成することをさらに含み、
前記第３順列は前記疑似乱数量から計算された量ほどの循環シフトである、請求項４に記載のディスプレイを動作させる方法。
【請求項８】
前記第１順列は前記ストレスプロファイルの要素の順序の逆順である、請求項１に記載のディスプレイを動作させる方法。
【請求項９】
前記ストレスプロファイルの要素の順序の逆順は、前記ディスプレイのラインに平行な方向での順序の逆順である、請求項８に記載のディスプレイを動作させる方法。
【請求項１０】
前記第１順列は、
ランダムに生成されたビットが１の値を有するときに前記ストレスプロファイルの要素の順序の逆順であり、
前記ランダムに生成されたビットがゼロの値を有するときに単位順列（ｉｄｅｎｔｉｔｙ  ｐｅｒｍｕｔａｔｉｏｎ）である、請求項１に記載のディスプレイを動作させる方法。
【請求項１１】
メモリ、および
プロセシング回路を含み、
前記プロセシング回路は、
ディスプレイのスライスに対するストレスプロファイルの要素を第１順列に置き換えて順列ストレスプロファイルを形成し、
前記順列ストレスプロファイルを圧縮して圧縮された順列ストレスプロファイルを形成し、
前記圧縮された順列ストレスプロファイルを圧縮解除して圧縮解除された順列ストレスプロファイルを形成し、
前記圧縮解除された順列ストレスプロファイルの要素を前記第１順列の逆である第２順列に置き換えて圧縮解除されたストレスプロファイルを形成することを遂行する、ディスプレイでストレス補償を遂行するシステム。
【請求項１２】
前記第１順列は循環シフトである、請求項１１に記載のディスプレイでストレス補償を遂行するシステム。
【請求項１３】
前記第１順列は一定量または疑似乱数量ほどの循環シフトである、請求項１２に記載のディスプレイでストレス補償を遂行するシステム。
【請求項１４】
前記プロセシング回路は、
前記メモリに前記圧縮された順列ストレスプロファイルを格納し、
前記メモリに前記疑似乱数量を格納する、請求項１３に記載のディスプレイでストレス補償を遂行するシステム。
【請求項１５】
前記プロセシング回路は、
第１疑似乱数生成器によって前記疑似乱数量を生成し、
前記第１疑似乱数生成器によって生成された前記疑似乱数量に基づいて前記ストレスプロファイルの要素を前記第１順列に置き換え、
第２疑似乱数生成器によって前記疑似乱数量を生成し、
前記第２疑似乱数生成器によって生成された前記疑似乱数量に基づいて前記圧縮解除された順列ストレスプロファイルを前記第２順列に置き換えることをさらに遂行する、請求項１３に記載のディスプレイでストレス補償を遂行するシステム。
【請求項１６】
前記第１順列は前記ストレスプロファイルの要素の順序の逆順である、請求項１１に記載のディスプレイでストレス補償を遂行するシステム。
【請求項１７】
前記ストレスプロファイルの要素の順序の逆順は、前記ディスプレイのラインに平行な方向での順序の逆順である、請求項１６に記載のディスプレイでストレス補償を遂行するシステム。
【請求項１８】
前記第１順列は、ランダムに生成されたビットが１の値を有するときに前記ストレスプロファイルの要素の順序の逆順であり、
前記ランダムに生成されたビットがゼロの値を有するときに単位順列である、請求項１１に記載のディスプレイでストレス補償を遂行するシステム。
【請求項１９】
ディスプレイパネルと、
メモリと、
プロセシング回路とを含み、
前記プロセシング回路は、
ディスプレイのスライスに対するストレスプロファイルの要素を第１順列に置き換えて順列ストレスプロファイルを形成し、
前記順列ストレスプロファイルを圧縮して圧縮された順列ストレスプロファイルを形成し、
前記圧縮された順列ストレスプロファイルを圧縮解除して圧縮解除された順列ストレスプロファイルを形成し、
前記圧縮解除された順列ストレスプロファイルの要素を前記第１順列の逆である第２順列に置き換えて圧縮解除されたストレスプロファイルを形成することを遂行する、ディスプレイ。
【請求項２０】
前記第１順列は循環シフトである、請求項１９に記載のディスプレイ。
【発明の詳細な説明】
【技術分野】
【０００１】
本発明は、ストレスプロファイルの圧縮された格納空間を使用するときに切断誤差（ｔｒｕｎｃａｔｉｏｎ  ｅｒｒｏｒｓ）の影響を緩和するためのシステムおよび方法に関する。
【背景技術】
【０００２】
有機発光ダイオード（ＯＬＥＤ）ディスプレイのようなビデオディスプレイの出力減少に対する補償はディスプレイ寿命によるイメージ品質を保存するために用いることができる。このような補償を遂行するのに使用されるデータはメモリ要求を減少させるために圧縮形式で保存され得る。しかし、そのような圧縮データの誤差は不均一に累積してイメージ品質の損失をもたらす。
【０００３】
したがって、ストレス補償のための改善されたシステムおよび方法が要求される。
【先行技術文献】
【特許文献】
【０００４】
【特許文献１】米国特許第８９９４６１７号明細書
【発明の概要】
【発明が解決しようとする課題】
【０００５】
本発明による実施形態の一つ以上の様態は、ディスプレイでストレス補償に関し、より詳しくは、ストレスプロファイルの圧縮された格納空間を使用するときに切断誤差（ｔｒｕｎｃａｔｉｏｎ  ｅｒｒｏｒｓ）の影響を緩和するためのシステムおよび方法に関する。
【課題を解決するための手段】
【０００６】
本発明の一実施形態によれば、ディスプレイを動作させる方法が提供される。前記方法は、ディスプレイのスライスに対するストレスプロファイルの要素を第１順列（ｐｅｒｍｕｔａｔｉｏｎ）に置き換えて順列ストレスプロファイル（ｐｅｒｍｕｔｅｄ  ｓｔｒｅｓｓ  ｐｒｏｆｉｌｅ）を形成し、前記順列ストレスプロファイルを圧縮して圧縮された順列ストレスプロファイルを形成し、前記圧縮された順列ストレスプロファイルを圧縮解除して圧縮解除された順列ストレスプロファイルを形成し、前記圧縮解除された順列ストレスプロファイルの要素を前記第１順列の逆である第２順列に置き換えて圧縮解除されたストレスプロファイルを形成することを含む。
【０００７】
本発明の一実施形態によれば、前記第１順列は循環シフト（ｃｉｒｃｕｌａｒ  ｓｈｉｆｔ）であってもよい。
【０００８】
本発明の一実施形態によれば、前記第１順列は一定量ほどの循環シフトであってもよい。
【０００９】
本発明の一実施形態によれば、前記第１順列は疑似乱数量（ｐｓｅｕｄｏｒａｎｄｏｍ  ａｍｏｕｎｔ）ほどの循環シフトであってもよい。
【００１０】
本発明の一実施形態によれば、前記方法は、メモリに前記圧縮された順列ストレスプロファイルを格納し、前記メモリに前記疑似乱数量を格納することを含む。
【００１１】
本発明の一実施形態によれば、前記方法は、第１疑似乱数生成器によって前記疑似乱数量を生成し、前記第１疑似乱数生成器によって生成された前記疑似乱数量に基づいて、前記ストレスプロファイルの要素を前記第１順列に置き換え、第２疑似乱数生成器によって前記疑似乱数量を生成し、前記第２疑似乱数生成器によって生成された前記疑似乱数量に基づいて、前記圧縮解除された順列ストレスプロファイルの要素を前記第２順列に置き換えることを含む。
【００１２】
本発明の一実施形態によれば、前記ストレスプロファイルは前記ディスプレイの第１スライスに対する第１ストレスプロファイルであり、前記順列ストレスプロファイルは第１順列ストレスプロファイルであり、前記圧縮された順列ストレスプロファイルは第１圧縮された順列ストレスプロファイルであり、前記圧縮解除された順列ストレスプロファイルは第１圧縮解除された順列ストレスプロファイルであり、前記圧縮解除されたストレスプロファイルは第１圧縮解除されたストレスプロファイルであり、前記方法は、前記ディスプレイの第２スライスに対する第２ストレスプロファイルの要素を第３順列に置き換えて第２順列ストレスプロファイルを形成し、前記第２順列ストレスプロファイルを圧縮して第２圧縮された順列ストレスプロファイルを形成し、前記第２圧縮された順列ストレスプロファイルを圧縮解除して第２圧縮解除された順列ストレスプロファイルを形成し、前記第２圧縮解除された順列ストレスプロファイルの要素を前記第３順列の逆である第４順列に置き換えて第２圧縮解除されたストレスプロファイルを形成することを含み、前記第３順列は前記疑似乱数量から計算された量ほどの循環シフトであってもよい。
【００１３】
本発明の一実施形態によれば、前記第１順列は前記ストレスプロファイルの要素の順序の逆順であってもよい。
【００１４】
本発明の一実施形態によれば、前記ストレスプロファイルの要素の順序の逆順は前記ディスプレイのラインに平行な方向での順序の逆順であってもよい。
【００１５】
本発明の一実施形態によれば、前記第１順列は、ランダムに生成されたビットが１の値を有するときに前記ストレスプロファイルの要素の順序の逆順であり、前記ランダムに生成されたビットがゼロの値を有するときに単位順列（ｉｄｅｎｔｉｔｙ  ｐｅｒｍｕｔａｔｉｏｎ）であってもよい。
【００１６】
本発明の一実施形態によれば、ディスプレイでストレス補償を遂行するシステムが提供される。前記システムは、メモリおよびプロセシング回路を含み、前記プロセシング回路は、ディスプレイのスライスに対するストレスプロファイルの要素を第１順列に置き換えて順列ストレスプロファイルを形成し、前記順列ストレスプロファイルを圧縮して圧縮された順列ストレスプロファイルを形成し、前記圧縮された順列ストレスプロファイルを圧縮解除して圧縮解除された順列ストレスプロファイルを形成し、前記圧縮解除された順列ストレスプロファイルの要素を前記第１順列の逆である第２順列に置き換えて圧縮解除されたストレスプロファイルを形成することを遂行する。
【００１７】
本発明の一実施形態によれば、前記第１順列は循環シフトであってもよい。
【００１８】
本発明の一実施形態によれば、前記第１順列は一定量または疑似乱数量ほどの循環シフトであってもよい。
【００１９】
本発明の一実施形態によれば、前記プロセシング回路は、前記メモリに前記圧縮された順列ストレスプロファイルを格納し、前記メモリに前記疑似乱数量を格納してもよい。
【００２０】
本発明の一実施形態によれば、前記プロセシング回路は、第１疑似乱数生成器によって前記疑似乱数量を生成し、前記第１疑似乱数生成器によって生成された前記疑似乱数量に基づいて、前記ストレスプロファイルの要素を前記第１順列に置き換え、第２疑似乱数生成器によって前記疑似乱数量を生成し、前記第２疑似乱数生成器によって生成された前記疑似乱数量に基づいて、前記圧縮解除された順列ストレスプロファイルを前記第２順列に置き換えることをさらに遂行してもよい。
【００２１】
本発明の一実施形態によれば、前記第１順列は前記ストレスプロファイルの要素の順序の逆順であってもよい。
【００２２】
本発明の一実施形態によれば、前記ストレスプロファイルの要素の順序の逆順は、前記ディスプレイのラインに平行な方向での順序の逆順であってもよい。
【００２３】
本発明の一実施形態によれば、前記第１順列はランダムに生成されたビットが１の値を有するときに前記ストレスプロファイルの要素の順序の逆順であり、前記ランダムに生成されたビットがゼロの値を有するときに単位順列であってもよい。
【００２４】
本発明の一実施形態によれば、ディスプレイが提供される。前記ディスプレイは、ディスプレイパネル、メモリ、およびプロセシング回路を含み、前記プロセシング回路は、ディスプレイのスライスに対するストレスプロファイルの要素を第１順列に置き換えて順列ストレスプロファイルを形成し、前記順列ストレスプロファイルを圧縮して圧縮された順列ストレスプロファイルを形成し、前記圧縮された順列ストレスプロファイルを圧縮解除して圧縮解除された順列ストレスプロファイルを形成し、前記圧縮解除された順列ストレスプロファイルの要素を前記第１順列の逆である第２順列に置き換えて圧縮解除されたストレスプロファイルを形成することを遂行する。
【００２５】
本発明の一実施形態によれば、前記第１順列は循環シフトであってもよい。
【発明の効果】
【００２６】
本発明の一実施形態によれば、ストレスプロファイルの圧縮された格納空間を使用するときに切断誤差（ｔｒｕｎｃａｔｉｏｎ  ｅｒｒｏｒｓ）の影響を緩和することができる。
【図面の簡単な説明】
【００２７】
【図１】本発明の一実施形態によるディスプレイのブロック図である。
【図２】本発明の一実施形態による圧縮なしのストレス補償システムのブロック図である。
【図３】本発明の一実施形態による圧縮ストレス補償システムのブロック図である。
【図４】本発明の一実施形態によるイメージの一部の概略図である。
【図５】本発明の一実施形態によるストレステーブルの一部分の概略図である。
【図６】本発明の一実施形態による圧縮ストレス補償システムのブロック図である。
【図７】本発明の一実施形態による順列の例示である。
【図８】本発明の一実施形態による順列の例示である。
【図９】本発明の一実施形態による順列の例示である。
【発明を実施するための形態】
【００２８】
添付図面に関連して以下に説明される詳細な説明は、本発明により提供される順列基盤ストレスプロファイル圧縮システムおよび方法の例示的な実施形態の説明として意図され、本発明を実施できる唯一の形態を表すものではない。以下の説明においては例示した実施形態に関連して本発明の特徴が説明される。しかし、本発明の範囲内に含まれるように意図された他の実施形態により同一または均等な機能および構造を達成できることを理解しなければならない。本発明の実施形態で言及されるように、同じ成分符号は同じ成分または特徴を示すためのものである。
【００２９】
特定の種類のビデオディスプレイは使用とともに変更される特性を有することができる。例えば、有機発光ダイオード（ｏｒｇａｎｉｃ  ｌｉｇｈｔ  ｅｍｉｔｔｉｎｇ  ｄｉｏｄｅ、ＯＬＥＤ）ディスプレイは多数のサブピクセル（例えば、赤色サブピクセル、緑色サブピクセル、および青色サブピクセル）で構成される複数のピクセルを有するディスプレイパネルを含む。サブピクセルそれぞれは互いに異なる色を放出するように構成された有機発光ダイオードを含む。それぞれの有機発光ダイオードは使用とともに減少する光効率を有し、例えば、有機発光ダイオードがしばらくの間動作した後の特定電流での光出力は新しい有機発光ダイオードの特定電流での光出力よりも低いこともある。
【００３０】
このような光効率の減少はディスプレイの寿命の間に平均的に、ディスプレイの他の部分より明るいイメージ部分を表示するディスプレイのパネル部分のディミング（ｄｉｍｍｉｎｇ）をもたらす。例えば、監視カメラからほとんど変わらないイメージを見るために使用されるディスプレイの視野は、一日の大部分の間に相対的に明るい第１部分と相対的に暗い第２部分がある場面を含むため、第２部分よりも第１部分の光効率がさらに顕著に減少する。このようなディスプレイのイメージ再生の忠実度（ｆｉｄｅｌｉｔｙ）は、結果的に時間に応じて低下する。他の例として、イメージの残り部分で黒い余白に分離されたイメージの下部に白いテキストで時間を表示する部分に使用されるディスプレイは、ディスプレイパネルの他の部分よりも黒い余白でさらに低く光効率が減少するため、そののち、一つの場面がディスプレイパネル全体を満たすモードで使用されると、以前に黒い余白が表示された部分に明るいバンドが表示される（イメージスティッキング）。
【００３１】
ディスプレイの光効率でこのような不均一性の影響を減少させるために、ディスプレイはディスプレイの使用による光効率の減少を補償する特徴を含むことができる。図１を参照すれば、ディスプレイは、ディスプレイパネル１１０、プロセシング回路１１５（詳細は後述する）、およびメモリ１２０を含むことができる。ディスプレイに対する“ストレスプロファイル”または“ストレステーブル”と称されるメモリ１２０のコンテンツ（ｃｏｎｔｅｎｔｓ）は、ディスプレイの寿命の間各サブピクセルに加わるストレス値を示す数値テーブル（またはストレス値が推定できるストレス値テーブル）であり得る。“ストレス値”はディスプレイの寿命の間サブピクセルを通して流れた総（時間−積分された）駆動電流、つまり、ディスプレイの寿命の間サブピクセルを通して流れた総電荷であり得る。例えば、メモリ１２０は、新たなイメージが表示されるごとに各サブピクセルに対する一つの数を保存できる。例えば、表示されたビデオとともに形成する連続的なイメージストリームの一部として（または、以下で説明するように、使用頻繁の低い、ストレス補償システムに対する負荷を減らすために）、イメージで各サブピクセルに対する駆動電流を測定することができ、サブピクセルの電流または明るさを示す数をメモリ１２０内のサブピクセルに対するそれぞれの数に加算することができる。タイミングコントローラおよび複数の駆動集積回路（ｄｒｉｖｅｒ  ｉｎｔｅｇｒａｔｅｄ  ｃｉｒｃｕｉｔｓ）を有するディスプレイで、プロセシング回路は一つ以上の駆動集積回路であり得るか、またはその一部であり得る。一部の実施形態で、各駆動集積回路はディスプレイパネル１１０の一部分を駆動させる役割を果たし、それによって他の駆動集積回路と独立してその部分に対するストレストラッキング（ｔｒａｃｋｉｎｇ）およびストレス補償を遂行することができる。
【００３２】
動作中に、各サブピクセルに対する駆動電流は、サブピクセルの寿命ストレス（ｌｉｆｅｔｉｍｅ  ｓｔｒｅｓｓ）に基づいた光効率の推定損失を補償するために調整される。例えば、各サブピクセルに対する駆動電流はメモリ１２０に格納されたサブピクセルの光効率の推定損失により（例えば、比例して）増加するため、光出力をサブピクセルの光効率が減少せず、駆動電流が増加しないときと実質的に同じにすることができる。経験的データまたはサブピクセルの物理的モデルに基づいた非線形関数は、サブピクセルの寿命ストレスに基づいて存在すると予想される光効率の損失を推測または予測するために用いられる。予測される光効率の損失およびそれによって調整された駆動電流の計算はプロセシング回路１１５によって遂行できる。
【００３３】
図２は、ストレス補償システムのブロック図を示す。ストレステーブルはメモリ２０５に格納される。動作時、ストレス値はストレステーブルから読み取られ、ストレス値は調整された駆動電流値を計算するために駆動電流調整回路（“補償”ブロック）２１０によって使用され、それぞれの調整された駆動電流値はサブピクセルの累積ストレスにより調整された未加工の（ｒａｗ）駆動電流値（サブピクセルの要求された光出力に基づく）である。調整された駆動電流値（表示されるサブピクセルのストレスの累積電流比率を示す）は、サブピクセルストレスサンプリング回路（“ストレスキャプチャー（Ｓｔｒｅｓｓ  Ｃａｐｔｕｒｅ）”ブロック）２１５によって読み取られ、以前に格納された各ストレス値はストレスの累積電流比率によって（つまり、調整された駆動電流値に比例する数ほど）加算回路２２０で増加され（または“加算され”）、メモリ２０５に再び格納される。メモリコントローラ２２５はメモリ２０５での読み取りおよび書き込み動作を制御し、必要に応じてメモリ２０５からストレス値を駆動電流調整回路２１０と加算回路２２０に供給し、ストレス値（ストレスの累積電流比率の加算によって増加する）を再びメモリ２０５に格納する。
【００３４】
各サブピクセルの総ストレスを追跡（ｔｒａｃｋｉｎｇ）することは相当な量のメモリを必要とする。例えば、１９２０ｘ１０８０ピクセルを有し、ピクセル当たり３個のサブピクセルを有し、各サブピクセルのストレスが４バイト（３２ビット）数で保存されるディスプレイの場合、必要なメモリの大きさはほぼ２５ＭＢである。なお、ビデオの各フレーム（つまり、それぞれのディスプレイされたイメージ）に対するそれぞれのストレス数をアップデートする計算負荷は重要である。
【００３５】
追跡の負荷を減らし、サブピクセルストレスに起因する光効率の減少を補正するために多様な接近法が用いられる。例えば、サブピクセルストレスサンプリング回路２１５は、各イメージで（つまり、ビデオの各フレームで）調整された駆動電流値のサブセット（ｓｕｂｓｅｔ）だけをサンプリングすることができる。例えば、１０８０ライン（ｌｉｎｅｓ）（または行（ｒｏｗｓ））のピクセルを有するディスプレイで、一部の実施形態ではストレステーブルの一つの行だけがビデオフレームごとにアップデートされる。例えば、表示されている映像で場面が相対的にゆっくり変わる場合、サブピクセルに対して考えられる調整された駆動電流値対の間にある調整された駆動電流値を破棄すれば、（サブピクセルの寿命ストレスの測定結果として）ストレス値における正確度の損失を許容可能で、少なくすることができる。
【００３６】
他の実施形態においては、サブピクセルストレスサンプリング回路２１５は、フレームのサブセットでのみ追加的にサンプリングすることができる。例えば、６０Ｈｚ（１秒当たり６０フレームを表示する）の再生率を有する１０８０ライン（または行）を有するディスプレイで、サブピクセルストレスサンプリング回路２１５は１０フレームごとに一回ずつイメージの全体または部分駆動電流値をサンプリングし、それによってストレステーブルがアップデートされる。
【００３７】
ストレステーブルでサブピクセルストレスを保存するのに必要なメモリの量を小さくするために多様な接近法も使用され得る。例えば、ストレスプロファイルチップセット（ｃｈｉｐｓｅｔ）上のメモリは、メモリに格納されたデータを圧縮することによって、必要なメモリの量を減少させることができる。図３を参照すれば、一部の実施形態において、ストレステーブルの圧縮された画像がメモリ２０５に格納される。圧縮されたストレスデータは、駆動電流調整回路２１０に供給される前に第１デコーダ３０５によって圧縮解除される。圧縮されたストレスデータは、加算回路２２０に転送される前に第２デコーダ３１０によって圧縮解除される。増加したストレス値は、メモリ２０５に保存される前にエンコーダ３１５によってエンコーディングされるかまたは圧縮される。エンコーダ３１５は受信するデータを圧縮する方式でエンコーディングし、第１デコーダ３０５および第２デコーダ３１０のそれぞれはエンコーダ３１５によって行われた動作の反対またはほぼ反対の動作を行う。つまり、第１デコーダ３０５および第２デコーダ３１０のそれぞれは受信するデータを圧縮解除する。したがって、本発明において、“コーディング”および“圧縮”（また、関連単語である“エンコーディング（ｅｎｃｏｄｉｎｇ）”、“エンコーディングされた（ｅｎｃｏｄｅｄ）”、“圧縮された（ｃｏｍｐｒｅｓｓｅｄ）”）は、“デコーディング（ｄｅｃｏｄｉｎｇ）”および“圧縮解除（ｄｅｃｏｍｐｒｅｓｓｉｎｇ）”（また、関連単語である“デコーディングされた（ｄｅｃｏｄｅｄ）”、“エンコーディングされない（ｕｎｅｎｃｏｄｅｄ）”、“圧縮解除された（ｄｅｃｏｍｐｒｅｓｓｅｄ）”、“圧縮されない（ｕｎｃｏｍｐｒｅｓｓｅｄ）”）と相互交換的に使用され得る。ハフマンコーディング（Ｈｕｆｆｍａｎ  ｃｏｄｉｎｇ）または算術コーディング（ａｒｉｔｈｍｅｔｉｃ  ｃｏｄｉｎｇ）のようなエントロピーコーディング（ｅｎｔｒｏｐｙ  ｃｏｄｉｎｇ）を含む多様な圧縮方法が使用され得る。
【００３８】
ストレステーブルデータは、本発明の一実施形態において“スライス（ｓｌｉｃｅｓ）”と称されるブロックでエンコーディングおよびデコーディングされることができ、各スライスは一般にストレステーブルの任意のサブセットにあり得る。一部の実施形態において、各スライスは、ストレステーブルの正四角形または長方形の領域およびディスプレイパネルの正四角形または長方形の領域に対応する。ディスプレイパネルの正四角形または長方形の領域はディスプレイのスライスと称することができ、ストレステーブルデータの対応するスライスはディスプレイのスライスのストレスプロファイルとして称される。特に明示されない限り、本発明で使用される“スライス（ｓｌｉｃｅ）”はストレスプロファイルの一つのスライスを示す。スライスが対応するディスプレイパネル領域の水平寸法は“スライス幅（ｓｌｉｃｅ  ｗｉｄｔｈ）”と称することができ、垂直寸法は“ライン寸法（ｌｉｎｅ  ｄｉｍｅｎｓｉｏｎ）”または“スライス高さ（ｓｌｉｃｅ  ｈｅｉｇｈｔ）”と称することができる。例えば、図４に示されているように、スライスは、ディスプレイの４つのライン（ｌｉｎｅｓ）および２４カラム（ｃｏｌｕｍｎｓ）に対応することができる。つまり、図４に示されるスライスにおいて、スライス幅は２４であり、スライスの高さは４である。
【００３９】
各スライスの圧縮された画像を保存するために割り当てられたメモリ領域のサイズは、使用される圧縮アルゴリズムに基づいて固定または可変であり得る。本発明の一実施形態において、メモリ領域のサイズは、使用されるコーディング方法に対する推定された圧縮比に基づいて固定され選択され得る。しかし、動作中に達成される圧縮比は、例えば、シンボル（ｓｙｍｂｏｌｓ）が圧縮されないデータで繰り返される程度に応じて異なってもよい。圧縮されたスライスを、スライスの圧縮された画像を保存するために割り当てられたメモリ領域内に格納することができるように、動作中に達成された圧縮比が十分に高くない場合、メモリでスライスの圧縮された画像のサイズを縮小するために、圧縮が遂行される前に、未加工のデータ（ｒａｗ  ｄａｔａ）は切断されることができる（ｔｒｕｎｃａｔｅｄ）（つまり、各データワード（ｗｏｒｄ）の一つ以上の最小重要度ビットは除去されることができる）。そのために、圧縮されたスライスを、スライスの圧縮された画像を保存するために割り当てられたメモリ領域内に調整することができる。他の実施形態において、必要なメモリの長さはワーストケース（ｗｏｒｓｔ  ｃａｓｅ  ｓｃｅｎａｒｉｏ）をカバーするように計算されてもよい。他の実施形態において、圧縮された画像の長さは可変的であり、テーブルに格納されるかまたは圧縮されたデータに添付される。
【００４０】
サブピクセルストレスを追跡し補正する負担も（またはその代わりに）メモリに格納されたデータを平均化することによって減らすことができる。例えば、図５に示されているように、一部の実施形態において、単一サブピクセルの累積ストレスを表す代わりに、ストレステーブルで各エントリー（ｅｎｔｒｙ）はピクセルまたはサブピクセルのブロック（例えば、図示のように４ｘ４ブロック）により受ける各ストレスの関数を表してもよい。例えば、４ｘ４ブロックに対するデータを保存するストレステーブルエントリーはピクセルの輝度値の平均を４ｘ４ブロックに保存できるか、または構成要素（ｃｏｍｐｏｎｅｎｔｓ）の平均を保存できる（つまり、４ｘ４ブロック内の４８個のサブピクセル全てのストレスの平均またはストレステーブルの３個の要素（ｅｌｅｍｅｎｔｓ）は、４ｘ４ブロックで赤色、緑色、および青色ピクセルの各平均を４ｘ４ブロックに保存できる）。
【００４１】
（圧縮と圧縮解除以降の）ストレステーブルのスライスの圧縮解除された画像は、例えば、上述のように、損失圧縮が使用されるかまたは切断が遂行される場合、または（ハフマンコーディングまたは算術コーディングのような）無損失圧縮方法が使用されても、圧縮と圧縮解除誤差のために（圧縮される前の）スライスの圧縮されない画像とは異なることがある。増加する前にスライスのストレスデータが圧縮解除された後、ストレスデータが新たにサンプリングされた調整された駆動電流値で増加するごとに同じ方式で再び圧縮されると、このような不一致は一部のデータワードで不均一に累積される。したがって、累積された誤差によってイメージ品質が受け入れられないかまたは過剰補正を引き起こす可能性を減らすために、切断（ｔｒｕｎｃａｔｉｏｎ）のように、このような不均一な誤差の累積を防止する手段を使用することが有利である。
【００４２】
一部の実施形態において、順列はスライス内の圧縮誤差を分散させ、各スライスで値または少数の値でこのような誤差の累積を避けるために使用される。図６は、一部の実施形態においてこの方法を実現するためのブロック図である。スライス順列回路４０５は、スライスがエンコーダ３１５によってエンコーディングされる前にスライスのストレスデータに第１順列を適用する。圧縮スライスが第１デコーダ３０５によってデコーディングされた後、第１スライス逆順列（ｓｌｉｃｅ  ｄｅ−ｐｅｒｍｕｔａｔｉｏｎ）回路４１０は、第１デコーダ３０５の出力に第２順列を適用し、第２順列は第１順列の逆となり、第１スライス逆順列回路４１０の出力は、スライス順列回路４０５およびエンコーダ３１５によって処理され、圧縮スライスを形成する圧縮されないスライスデータと同一またはほぼ同一である（例えば、上述のように、切断に起因した不一致により異なる）。同様に、圧縮スライスが第２デコーダ３１０によってデコーディングされた後、第２スライス逆順列（ｄｅ−ｐｅｒｍｕｔａｔｉｏｎ）回路４１５は第２デコーダ３１０の出力に第２順列を適用するため、第２スライス逆順列回路４１５の出力はスライス順列回路４０５およびエンコーダ３１５によって処理され、圧縮スライスを形成する圧縮されないスライスデータと同一またはほぼ同一である。
【００４３】
本発明の一実施形態においては、様々な順列を使用することができる。例えば、一部の実施形態において、逆順列（ｉｎｖｅｒｓｅ  ｐｅｒｍｕｔａｔｉｏｎ）と区別するために“正の順列（ｆｏｒｗａｒｄ  ｐｅｒｍｕｔａｔｉｏｎ）”と称されるスライス順列回路４０５によって適用される順列はスライス内の開始位置から始まる循環シフト（ｃｉｒｃｕｌａｒ  ｓｈｉｆｔ）である。図７を参照すれば、これらの実施形態において、スライス順列回路４０５へのスライスに対する入力は、ストレス値の第１シーケンスであること、スライスにおいて第１シーケンスにおける第１値が第１ストレス値であること、スライスにおいて第１シーケンスにおける第２値が第２ストレス値であること、などがあり得る。つまり、第１シーケンスは順番にスライスのすべてのストレス値で構成され得る。開始位置がスライスのｎ番目の位置であれば、出力がスライスで最後のストレス値と等しくなるまで、スライス順列回路４０５の出力は、ストレス値の第２シーケンスであること、第２シーケンスにおける第１値がスライスにおけるｎ番目のストレス値であること、第２シーケンスにおける第２値がスライスにおけるｎ＋１番目のストレス値であること、などがあり得る。スライスの最後のストレス値以降の次の出力はスライスにおける第１ストレス値であることができ、その次の出力はスライスにおける第２ストレス値であることができ、スライスにおける出力がｎ番目のストレス値以前のストレス値と等しくなるまで続くことができる。この時点で順列の出力が完了し、スライスの各要素は、スライス順列回路４０５によって出力される。このように、開始位置はシフトの量を決定する。開始位置が１であれば、順列は順序を変更しない。つまり、循環シフトの量はゼロである。一般に、循環シフトの量は開始位置よりも一つ少ないことがある。開始位置はスライス順列回路４０５が順列動作を遂行するごとにランダムに（例えば、疑似乱数生成器によって生成された疑似乱数に基づき）選択され得る。または、開始位置は、例えば、同じスライスが圧縮されるごとに一つの位置によって（つまり、一つのストレス値の大きさによって）、または、スライスでストレス値の数と位置の数が互いに素（ｃｏｐｒｉｍｅ）になるように選択された多数の位置によって、均一な増分で増加または減少するように選択され得る。
【００４４】
本発明の一実施形態において、開始点はスライス順列回路４０５が第１スライスに対する順列動作を遂行するごとにランダムに（例えば、疑似乱数生成器によって生成された疑似ランダム数に基づく）選択され得る。残りのスライスの場合、開始点は固定された数式またはランダムに選択された第１開始点に基づいたスライスのパターンまたは位置に基づいて計算され得る。例えば、ｊ番目のスライスに対する循環シフトの量はＡ１＋ｊＢ  ｍｏｄ  ＮＳによって与えられ得る。ここで、Ａ１は第１スライスの循環シフトの量（例えば、疑似ランダム）であり、Ｂは定数であり、ＮＳはイメージでスライス長さである。ｊ値の範囲は１からスライスの数までであり、例えば１２０であり得る。スライス内平均が使用される場合、スライス長さはスライスのピクセル数またはスライスの平均大きさで割ったピクセル数であり得る。
【００４５】
一部の実施形態において、ストレスプロファイルはディスプレイの第１スライスに対する第１ストレスプロファイルであり、順列ストレスプロファイルは第１順列ストレスプロファイルであり、圧縮された順列ストレスプロファイルは第１圧縮された順列ストレスプロファイルであり、圧縮解除された順列ストレスプロファイルは第１圧縮解除された順列ストレスプロファイルであり、圧縮解除されたストレスプロファイルは第１圧縮解除されたストレスプロファイルであり、前記方法は、第２順列ストレスプロファイルを形成するためにディスプレイの第２スライスに対する第２ストレスプロファイルの要素を第３順列に置き換える段階と、第２圧縮された順列ストレスプロファイルを形成するために第２順列ストレスプロファイルを圧縮する段階と、第２圧縮解除された順列ストレスプロファイルを形成するために第２圧縮された順列ストレスプロファイルを圧縮解除する段階と、第２圧縮解除されたストレスプロファイルを形成するために第２圧縮解除された順列ストレスプロファイルの要素を第４順列に置き換える段階とを含み、第３順列は疑似乱数量から計算された量ほどの循環シフトである。この段落では２つのスライスだけ言及しているが、スライスの数は２つ以上であり得る。例えば、スライスの数は１２０であり得る。
【００４６】
逆順列（ｉｎｖｅｒｓｅ  ｐｅｒｍｕｔａｔｉｏｎ）は、スライスでストレス値の数と順列の開始位置の間の差である開始位置を有する循環シフトであり得る。したがって、逆順列の開始位置は正の順列（ｆｏｒｗａｒｄ  ｐｅｒｍｕｔａｔｉｏｎ）の開始位置から計算されることができる（例えば、第１スライス逆順列回路４１０または第２スライス逆順列回路４１５によって計算できる）。例えば、逆順列の開始位置は、エンコーディングされたデータと保存されるかまたはデコーディング時に同じシーケンスの疑似ランダム数を生成する第２疑似乱数生成器によって生成されることができる（第２疑似乱数生成器は適切にオフセット（ｏｆｆｓｅｔ）された数を生成するために初期化される）。
【００４７】
他の実施形態において、図８を参照すれば、正の順列は上下スイッチ（ｕｐ−ｄｏｗｎ  ｓｗｉｔｃｈ）、つまり、ディスプレイのラインに垂直な方向での要素の順序の逆順である。この実施形態において、逆順列は正の順列、つまり、要素の順序の他の逆順と同じである。一部の実施形態において、順列はスライスがエンコーディングされるごとに適用される。他の実施形態において、順列は、例えば、スライスがエンコーディングされ線形フィードバックシフトレジスタ（ｌｉｎｅａｒ  ｆｅｅｄｂａｃｋ  ｓｈｉｆｔ  ｒｅｇｉｓｔｅｒ）のような疑似ランダムビット生成器が１の値を有するビットを生成するごとに、ランダムに選択された場合に適用される。同様に、疑似ランダムビット生成器がゼロの値を有するビットを生成するとき、単位順列（ｉｄｅｎｔｉｔｙ  ｐｅｒｍｕｔａｔｉｏｎ）（つまり、要素の順序を変更しない順列）は非単位順列（ｎｏｎ−ｉｄｅｎｔｉｔｙｐｅｒｍｕｔａｔｉｏｎ）の代わりに遂行される。
【００４８】
他の実施形態において、図９を参照すれば、正の順列は右左スイッチ（ｒｉｇｈｔ−ｌｅｆｔ  ｓｗｉｔｃｈ）、つまり、ディスプレイのラインに平行な方向での要素の順序の逆順である。この実施形態において、逆順列は正の順列、つまり、要素の順序の他の逆順と同じである。一部の実施形態において、順列はスライスがエンコーディングされるごとに適用される。他の実施形態で、順列はランダムに選択された場合に適用される。
【００４９】
“プロセシング回路”という用語は、本発明の一実施形態において、データまたはデジタル信号を処理するために使用されるハードウェア、ファームウエアおよびソフトウェアの任意の組み合わせを含むように使用される。プロセシング回路のハードウェアは、例えば、注文型集積回路（ａｐｐｌｉｃａｔｉｏｎ  ｓｐｅｃｉｆｉｃ  ｉｎｔｅｇｒａｔｅｄ  ｃｉｒｃｕｉｔｓ、ＡＳＩＣ）、汎用または特殊目的の中央処理装置（ｃｅｎｔｒａｌ  ｐｒｏｃｅｓｓｉｎｇ  ｕｎｉｔ、ＣＰＵ）、デジタル信号プロセッサー（ｄｉｇｉｔａｌ  ｓｉｇｎａｌ  ｐｒｏｃｅｓｓｏｒｓ、ＤＳＰ）、グラフィック処理装置（ｇｒａｐｈｉｃｓ  ｐｒｏｃｅｓｓｉｎｇ  ｕｎｉｔｓ、ＧＰＵ）およびフィールドプログラム可能なゲートアレイ（ｆｉｅｌｄ  ｐｒｏｇｒａｍｍａｂｌｅ  ｇａｔｅ  ａｒｒａｙｓ、ＦＰＧＡ）を含むことができる。本発明の一実施形態において使用されるプロセシング回路によって、各機能はその機能を遂行するために構成されたハードウェア、またはＣＰＵのような汎用のハードウェアによって遂行されるか、一時的な保存媒体に格納された命令を実行するように構成され得る。プロセシング回路は、単一印刷回路基板（ＰＣＢ）上に製造されるか、相互連結された様々なＰＣＢ上に分散され得る。プロセシング回路は他のプロセシング回路を含むことができる。例えば、プロセシング回路は、ＰＣＢ上で相互連結される２つのプロセシング回路、ＦＰＧＡおよびＣＰＵを含むことができる。
【００５０】
“第１”、“第２”、“第３”などの用語は、本明細書で多様な要素、構成要素、領域、層および／またはセクションを説明するために使用することができるが、これらの要素、構成要素、領域、層および／またはセクションは、これらの用語によって限定されない。これらの用語は、単なる一つの要素、構成要素、領域、層またはセクションを他の要素、構成要素、領域、層またはセクションと区別するために使用される。したがって、上述した第１要素、構成要素、領域、層またはセクションは、本発明の思想および範囲を逸脱せずに、第２要素、構成要素、領域、層またはセクションとも称することができる。
【００５１】
“低”、“下”、“下端”、“うえ”、“上”、“上端”などのように空間的に相対的な用語は、図面に示された１つの要素または特徴の他の要素または特徴に対する関係をより容易に説明するために使用される。空間的に相対的なこのような用語は、図面に示した方向に加えて、使用中または動作中の装置の他の方向を含むように意図されるものと理解されるであろう。例えば、図面の装置の上を下にしたとき、他の要素または特徴の“下”または“低”または“下端”にあると説明された要素は、他の要素または特徴の“上”に向くことになる。したがって、“下”および“下端”という例示的な用語は、上と下の方向を全て含むことができる。装置は他の方向に向くことがあり（例えば、９０度または他の方向に回転できる）、本発明で使用される空間的に相対的な技術用語はそれに合わせて解釈されなければならない。さらに、２つの層の間に１つの層があるものと言及する場合、その層は２つの層の間の唯一の層であるか、あるいは１つまたはそれ以上の介在層が存在することができることも理解しなければならない。
【００５２】
本発明の一実施形態において使用される用語は、特定の実施形態だけを説明するためのものであり、本発明の概念を制限しようとするものではない。本発明で使用される用語“実質的に”、“約”および類似な用語は、学術的な用語としてではなく、類似の用語として使用され、測定されたまたは計算された値の固有の偏差を説明するためのものであり、当業者にとって自明に理解できる。本発明で使用される“主成分”の用語は、組成物または重合体または任意の他の単一成分の量より多い量で組成物、重合体または製品に存在する成分を指す。対照的に、“主成分”の用語は、組成物、重合体または生成物の５０重量％以上を構成する成分を意味する。本明細書で使用される“主要部分”の用語は、複数の項目に適用される場合にその項目の少なくとも半分を意味する。
【００５３】
本発明の一実施形態においてで使用される単数形態の“１つ”および“１つの”は、文脈上明確に異なって示さない限り、複数形態を含むことを意図している。本発明で使用される“含む”および／または“構成される”という用語は、述べられた特徴、整数、段階、動作、構成要素および／または要素の存在を明示しているが、存在を排除しないことがもっと理解されるであろう。または、一つ以上の他の特徴、整数、段階、動作、構成要素、要素および／またはグループの追加を含むことができる。本発明で使用される“および／または”という用語は、一つ以上列挙された項目の任意およびすべての組み合わせを含む。“少なくとも１つ”のような表現は要素のリストに先行する場合に要素の全体リストを修飾し、リストの個別要素を修飾しない。さらに、本発明の概念の一実施形態を説明する際に“することができる”の使用は“本発明の１つ以上の実施形態”を意味する。また、“例示的な”という用語は例または実例を意味する。本発明で使用される“使用”、“使用する”および“使用される”は、それぞれ“利用”、“利用する”および“利用される”と同義語と見なすことができる。
【００５４】
要素または層が他の要素または層“上に”、“連結される”、“結合される”または“隣接する”ものとして言及する場合、１つ以上の介在要素または層が存在することもある。対照的に、要素または層が他の要素または層に“直接的に”、“直接連結される”、または“直に隣接する”ものとして言及する場合、介在する要素または層は存在しない。
【００５５】
本発明の一実施形態において列挙された任意の数値範囲は列挙された範囲内に含まれる同一の数値精度の全ての下位範囲を含むように意図される。例えば、“１．０〜１０．０”の範囲には、１．０の指定された最小値および１０．０の指定された最大値の間の全ての部分範囲、例えば、２．４〜７．６の１０．０以下の値が含まれる。本発明に列挙された最大数値の上限はそこに含まれるさらに低い全ての数値の上限を含むように意図され、本発明で引用された任意の最小数値の下限はそこに含まれる全てのさらに高い数値の下限を含むように意図される。
【００５６】
変換ベースのストレスプロファイル圧縮の例示的な実施形態を本発明で具体的に説明し例示したが、様々な変形および変更が当業者には明らかであろう。したがって、本発明の原理に基づいて構成された変換ベースのストレスプロファイル圧縮は、ここに具体的に説明されたもの以外にも具現できることを理解しなければならない。本発明はまた、次の特許請求の範囲およびその等価物により定義される。
【図１】
2019159329.tif 000003
【図２】
2019159329.tif 000004
【図３】
2019159329.tif 000005
【図４】
2019159329.tif 000006
【図５】
2019159329.tif 000007
【図６】
2019159329.tif 000008
【図７】
2019159329.tif 000009
【図８】
2019159329.tif 000010
【図９】
2019159329.tif 000011